(57)【要約】【課題】  著作権、肖像権等のある被写体の撮影を禁止する。【解決手段】  撮像対象側（被写体側）にカメラを制御する信号を発信するＩＤタグ（ＲＦ−ＩＤ）を取り付けておき、このＩＤタグからの信号を受信したときにカメラのシャッタ自体の操作を禁止したり、シャッタ操作は許可しつつ撮影画像を劣化させる等の制御を行うことで著作権や肖像権のある被写体の撮影を抑止することができる。 【選択図】          図１
2005252724.tif 000002
【特許請求の範囲】
【請求項１】
少なくとも静止画または動画を撮像するカメラを備えた携帯端末であって、
撮像対象に付されたＩＤタグからの信号を受信する受信手段と、
前記信号中からＩＤを読み出す手段と、
読み出したＩＤがカメラを制御するＩＤか否かを判定する手段と、
前記カメラを制御するＩＤである場合にカメラを制御するカメラ制御手段とからなるカメラ制御機能付端末。
【請求項２】
前記カメラの制御はカメラによる撮像を禁止する制御であることを特徴とする請求項１記載のカメラ制御機能付端末。
【請求項３】
前記カメラの制御はカメラによる撮影画像を変化させる制御であることを特徴とする請求項１記載のカメラ制御機能付端末。
【請求項４】
ＩＤタグと、少なくとも静止画または動画を撮像するカメラを備えた携帯端末とからなり、
前記ＩＤタグは、印刷物または当該印刷物の販売棚に取り付けられており、
前記携帯端末は、
前記ＩＤタグからの信号を受信する受信手段と、
前記信号中からＩＤを読み出す手段と、
読み出したＩＤがカメラを制御するＩＤか否かを判定する手段と、
前記カメラを制御するＩＤである場合にカメラを制御するカメラ制御手段とで構成されていることにより、前記印刷物の撮像を抑止する携帯端末のカメラ制御システム。
【請求項５】
前記印刷物は書籍であることを特徴とする請求項４記載の携帯端末のカメラ制御システム。
【請求項６】
少なくとも静止画または動画を撮像するカメラを備えた携帯端末のカメラ制御方法であって、
ＩＤタグからの信号を受信するステップと、
前記信号からＩＤを読み出すステップと、
読み出したＩＤがカメラを制御するＩＤか否かを判定するステップと、
前記カメラを制御するＩＤである場合にカメラを制御するステップとからなる携帯端末のカメラ制御方法。
【請求項７】
少なくとも静止画または動画を撮像するカメラを備えた携帯端末のカメラ制御プログラムであって、
ＩＤタグからの信号を受信するステップと、
前記信号からＩＤを読み出すステップと、
読み出したＩＤがカメラを制御するＩＤか否かを判定するステップと、
前記カメラを制御するＩＤである場合にカメラを制御するステップとからなる携帯端末のカメラ制御プログラム。
【発明の詳細な説明】
【技術分野】
【０００１】
本発明はカメラ制御機能付端末およびそのプログラムに関する。
【背景技術】
【０００２】
デジタルカメラ機能を備えた携帯電話等の携帯端末が普及してきており、その画素数も３０万画素乃至２００万画素程度の高密度画像の撮像が可能となっている。
【０００３】
一般に、１００万画素以上の画素数を備えたデジタルカメラであればＡ４程度の面積に１０ポイント以上の文字が印刷された印刷物を目視で可読状態で撮像できるといわれている。したがって、メガピクセルカメラと呼ばれる１００万画素以上の高密度画素撮影が可能なデジタルカメラは、コピー装置として用いることができ、かつこのようなデジタルカメラが携帯端末に付加された場合にはコンビニエンスストアや書店で、実質的に著作権の発生している書籍のページを簡単にコピーすることが可能となる。
【０００４】
このことが「デジタル万引き」として社会問題化しはじめている。
かかるデジタル万引きを防止するためには専らカメラ機能付端末の所持者のモラルに依存せざるを得ないのが現状であった。
【０００５】
なお、カメラ付携帯電話端末によって撮影した画像データの転送自体を抑制する技術として特開２００３−１４１００５号（特許文献１）があるが、私的画像であったりデータ量の都合等により転送を抑制しているにすぎなかった。
【特許文献１】特開２００３−１４１００５
【発明の開示】
【発明が解決しようとする課題】
【０００６】
前述のようなデジタル万引きは、前記特許文献１に示された技術では解決できてはいない。
【０００７】
現状ではかかるデジタル万引きは、それを行う撮影者に罪の意識が低く、モラルのみによる抑止効果は期待できず、カメラ自体に被写体に対応してカメラ機能を抑止する技術が搭載されることが望まれていた。
【０００８】
本発明は、斯かる実情に鑑み、カメラ制御機能付端末およびそのプログラムを提供しようとするものである。
【課題を解決するための手段】
【０００９】
本発明はカメラ制御機能付端末およびそのプログラムにかかるものである。
【００１０】
本発明の請求項１は、「少なくとも静止画または動画を撮像するカメラを備えた携帯端末であって、撮像対象に付されたＩＤタグからの信号を受信する受信手段と、前記信号中からＩＤを読み出す手段と、読み出したＩＤがカメラを制御するＩＤか否かを判定する手段と、前記カメラを制御するＩＤである場合にカメラの動作を制御するカメラ制御手段とからなるカメラ制御機能付端末」である。
【００１１】
本発明の請求項２は、「前記カメラの制御はカメラによる撮像を禁止する制御であることを特徴とする請求項１記載のカメラ制御機能付端末」である。
【００１２】
このように、撮像対象側（被写体側）にカメラを制御する信号を発信するＩＤタグを取り付けておき、このＩＤタグからの信号を受信したときにカメラ機能を禁止することで著作権のある書籍等の撮影を抑止することができる。
【００１３】
本発明の請求項３は、「前記カメラの制御はカメラによる撮影画像を変化させる制御であることを特徴とする請求項１記載のカメラ制御機能付端末」である。
【００１４】
カメラ機能自体は禁止せずに、撮影画像を変化、たとえば画像を劣化させて表示画面等に表示することによって、情報としての価値が無い状態とすることで事実上の著作権侵害を防止することもできる。
【００１５】
本発明の請求項４は、「ＩＤタグと、少なくとも静止画または動画を撮像するカメラを備えた携帯端末とからなり、前記ＩＤタグは、印刷物または当該印刷物の販売棚に取り付けられており、前記携帯端末は、前記ＩＤタグからの信号を受信する受信手段と、前記信号中からＩＤを読み出す手段と、読み出したＩＤがカメラを制御するＩＤか否かを判定する手段と、前記カメラを制御するＩＤである場合にカメラの動作を制御するカメラ制御手段とで構成されていることにより、前記印刷物の撮像を抑止する携帯端末のカメラ制御システム」である。
【００１６】
本発明の請求項５は、「前記印刷物は書籍であることを特徴とする請求項４記載の携帯端末のカメラ制御システム」である。
【００１７】
このようにＩＤタグをデジタル万引きの対象になり易い書籍に取り付けることにより、効果的に著作権保護を図ることができる。
【００１８】
本発明の請求項６は、「少なくとも静止画または動画を撮像するカメラを備えた携帯端末のカメラ制御方法であって、ＩＤタグからの信号を受信するステップと、前記信号からＩＤを読み出すステップと、読み出したＩＤがカメラを制御するＩＤか否かを判定するステップと、前記カメラを制御するＩＤである場合にカメラの動作を抑止するステップとからなる携帯端末のカメラ制御方法」である。
【００１９】
また、請求項７は、「少なくとも静止画または動画を撮像するカメラを備えた携帯端末のカメラ制御プログラムであって、ＩＤタグからの信号を受信するステップと、前記信号からＩＤを読み出すステップと、読み出したＩＤがカメラを制御するＩＤか否かを判定するステップと、前記カメラを制御するＩＤである場合にカメラの動作を抑止するステップとからなる携帯端末のカメラ制御プログラム」である。
【発明の効果】
【００２０】
本発明によれば、撮像対象側（被写体側）にカメラを制御する信号を発信するＩＤタグを取り付けておき、このＩＤタグからの信号を受信したときにカメラを制御することで著作権のある書籍等の撮影を抑止することができる。
【発明を実施するための最良の形態】
【００２１】
以下、本発明の実施の形態を添付図面を参照して説明する。
【００２２】
図１は本実施形態の説明図である。
【００２３】
図１に示すように、本実施形態のカメラ付携帯電話端末３は、カメラ４とシャッタボタン５を有しており、撮影画像を表示画面に表示するようになっている。そしてタグ用受発信部７が設けられており、ＩＤタグ２からの信号を受信できるようになっている。
【００２４】
本実施形態において、雑誌１にはＩＤタグ２が貼付されている。このＩＤタグ２は、ＲＦ−ＩＤタグである。ＲＦ−ＩＤタグは、半導体とアンテナが内部に埋め込まれた、外部と無線で通信して個々のＩＤ（シリアル番号）を識別する電子の荷札（タグ）である。ＩＤタグ２自身のアンテナで受信する電波から駆動電源を取得するため電池が不要で薄型化かつ小型化できる利点がある。
【００２５】
カメラ付携帯電話端末３のタグ用受発信部７からは、たとえば１２０ＫＨｚ〜５００ＫＨｚの低周波、２．４ＧＨｚまたは１３，５６ＭＨｚの高周波駆動電波が発信されるようになっている。この駆動電波を受信したＩＤタグ２は、この電波を励起電流として内部回路を駆動し当該ＩＤタグ２自身のＩＤを含んだ応答信号を発信するようになっている。
【００２６】
図２は、実施形態のシステム構成ブロック図である。
【００２７】
携帯電話端末３は、中央処理装置（ＣＰＵ）８を中心に、バス（ＢＵＳ）を介してメモリ１０、シャッタボタン５、カメラ４、タグ用受発信部７、液晶表示画面６等が接続されている。
【００２８】
中央処理装置（ＣＰＵ）８は、メモリ１０に格納されたプログラムによってカメラ４や液晶表示画面６等を制御するようになっている。
【００２９】
また、メモリ１０には図３に示すようなカメラ制御テーブル１１が設けられている。このカメラ制御テーブル１１は、ＩＤタグ２のＩＤに対応したフラグが設定されている。このフラグは本実施形態では、シャッタ制御フラグと劣化画像フラグとを例示している。シャッタ制御フラグが設定されている場合（”１”となっている場合）には、カメラ４のシャッタボタン５が動作しないことを意味している。また、劣化画像フラグが設定されている場合（”１”となっている場合）にはシャッタボタン５は動作するがカメラ４による撮影画像を劣化させて液晶表示画面６に表示させることを意味している。この劣化画像の生成はメモリ１０に格納された劣化画像生成プログラムによって中央処理装置（ＣＰＵ）８によって生成される。たとえば、カメラ４が２００万画素の画素密度を有している場合、劣化画像生成プログラムによって３０万画素程度に画像を劣化させて液晶表示画面６に表示するようになっている。
【００３０】
次に、本実施形態の動作について説明する。
【００３１】
まず、携帯電話端末３のタグ用受発信部７からは前述のような駆動電波が定期的（たとえば数秒おき）に発信されており、この携帯電話端末３の所持者が雑誌１に近付くと前記駆動電波に対応してＩＤタグ２から応答信号が出力されてこの応答信号がタグ用受発信部７によって受信される。
【００３２】
中央処理装置（ＣＰＵ）８は、この応答信号からＩＤタグ２のＩＤを読み出してメモリ１０に格納されたカメラ制御テーブル１１を参照する。
【００３３】
そしてこのＩＤ（たとえば「ＡＢＣ０００１」）にシャッタ制御フラグが設定されている場合、中央処理装置（ＣＰＵ）８はシャッタボタン５の操作を禁止し、カメラ４による撮影ができないようにする。
【００３４】
また、このシャッタ制御フラグが設定されている場合には、中央処理装置（ＣＰＵ）８は液晶表示画面６に図４に示すような撮影禁止を通知する文字、図形、記号等を表示するようにしてもよい。
【００３５】
このような一連の動作によって、所持者は当該雑誌１の撮影ができないことを認識する。
【００３６】
一方、応答信号から読み出したＩＤ（たとえば「ＡＢＸ０２３１」）に劣化画像フラグが設定されている場合には、中央処理装置（ＣＰＵ）８はシャッタボタン５自体の操作は制御しないが、撮影画像をメモリ１０の劣化画像生成プログラムによって１０万〜３０万画素程度に劣化させて液晶表示画面６に表示する。このように画像を劣化させて表示することで情報としての価値が無い状態で撮影を認めるようにしてもよい。
【００３７】
なお、本発明のカメラ制御機能付端末３およびそのプログラムは、上記した実施の形態に限定されるものではなく、本発明の要旨を逸脱しない範囲内において種々変更を加え得ることは勿論である。
【００３８】
たとえばＩＤタグ２は雑誌１に直接貼付された場合で説明したが、雑誌１を販売する書棚やスタンドに取り付けられていてもよい。また、ＩＤタグ２は雑誌１以外に書籍、新聞、写真、ＣＤジャケット、ポスター等の他、テーブル、座席、壁等に貼付されていてもよい。したがって、本発明は書店やコンビニエンスストアのみならず図書館、美術館、コンサート会場等カメラ撮影を禁止したい場所におけるカメラ制御システムとしても利用することができる。
【００３９】
さらに、カメラ制御テーブル１１には前記以外のフラグを設定してもよい。たとえば、シャッタ音強制発声フラグを設定しておき、撮影自体を許可しつつ大音量のシャッタ音を出力させるようにして周囲の人間に対して、雑誌１等の撮影禁止被写体を撮影していることをわからせるようにすることで、本人が自主的に撮影を断念せざるを得ないようにしたり、恥ずべき行為であることを認識させるようにしてもよい。
【産業上の利用可能性】
【００４０】
本発明のカメラ制御機能付端末３およびそのプログラムは著作権や肖像権またはパブリシティ権等の発生している被写体の撮影の抑止に利用できる。
【図面の簡単な説明】
【００４１】
【図１】本発明の実施形態の説明図
【図２】実施形態のシステム構成を示すブロック図
【図３】メモリに設定されたカメラ制御テーブルを示す説明図
【図４】液晶表示画面の表示状態を示す説明図
【符号の説明】
【００４２】
１  雑誌
２  ＩＤタグ
３  携帯電話端末
４  カメラ
５  シャッタボタン
６  液晶表示画面
７  タグ用受発信部
８  中央処理装置
１０  メモリ
１１  カメラ制御テーブル
【図１】
2005252724.tif 000003
【図２】
2005252724.tif 000004
【図３】
2005252724.tif 000005
【図４】
2005252724.tif 000006